(57)【要約】      （修正有）【課題】注射動作に続いて針の収納を自動的に行うことができるとともに、不慮の操作を防止し得るる医療用注射器を提供する。【解決手段】プランジャ６は、ピストン４が取り付けられる軸部６１と、その後端部に取り付けられる軸部６２とを備え、ピストン４の移動による注射中は軸部６１と軸部６２とが一体となってケーシング７に対して軸方向に移動し、軸部６１に対して軸部６２を先端側に押し込むことによってこれらを切り離し、軸部６１から切り離された軸部６２をさらに押し込むことによってケーシング７を押し込み操作して、該ケーシング７の先端部により針の外周を覆うように構成する。そして、キャップ９を、注射前のプランジャ６の後部を保護するためにケーシング７の後部に装着可能とするとともに、注射後に注射針を前方から覆い隠すためにケーシング７の前部に装着可能とする。【選択図】図１
2008289908.tif 000002
【特許請求の範囲】
【請求項１】
先端に注射針を取付け可能で且つ後端が開口する筒状のシリンジと、該シリンジ内に軸方向移動自在に設けられるピストンと、先端部に前記ピストンが取り付けられ且つ後端部が前記シリンジの後端開口から後方に突出するプランジャロッドと、前記シリンジの外周側に設けられる管状ケーシングと、シリンジ後退防止手段とを備え、
該ケーシングは、その先端部よりも前記シリンジ先端に取り付けられた注射針が先端側に突出する第１位置から、その先端部により前記注射針の外周を覆う第２位置に向けて前記シリンジに対して軸方向移動可能であり、
前記プランジャロッドは、先端部に前記ピストンが取り付けられる第１軸部と、該第１軸部の後端部に取り付けられた第２軸部とを備え、該第２軸部の後端部は、前記ケーシングの後端部よりも後方に突出しており、
該プランジャロッドは、ピストンがシリンジ内の軸方向中途部から先端に移動するまでの間は第１軸部と第２軸部とが一体となって前記ケーシングに対して軸方向移動自在であるとともに、第１軸部に対して第２軸部を先端側に押し込むことによって第１軸部と第２軸部とを切り離し可能であり、
第１軸部から切り離された第２軸部をシリンジ及び第１軸部に対して軸方向先端側に押し込むことによって該第２軸部とともに前記ケーシングをその第１位置から第２位置へ移動させるように、前記ケーシングに後方から当接する操作部が第２軸部の後部に設けられ、
前記シリンジ後退防止手段は、第１位置にあるケーシングのシリンジに対する軸方向移動を解除操作可能にロックすることを特徴とする医療用注射器
【請求項２】
請求項１に記載の医療用注射器において、前記シリンジ後退防止手段は、第１位置にあるケーシングと前記シリンジとに係合することによって前記ロックを行う部材からなることを特徴とする医療用注射器。
【請求項３】
請求項１に記載の医療用注射器において、前記シリンジの後端部には接続部が設けられ、該接続部は、円板状プレートと、該プレートから直径方向に張り出す一対のタブと、前記ケーシングを案内保持するスロットとを有し、前記シリンジ後退防止手段は、第１位置にあるケーシングの後部に装着可能で且つプレートの後面に当接する部材からなることを特徴とする医療用注射器。
【請求項４】
請求項３に記載の医療用注射器において、前記シリンジ後退防止手段を構成する部材の外周形状は、前記プレートの外周縁に沿うか或いはプレートの外周縁よりも内側にあることを特徴とする医療用注射器。
【請求項５】
請求項３又は４に記載の医療用注射器において、前記ケーシングの後端部には、第２軸部を案内保持するとともに前記操作部が当接するバックプレートが設けられ、該バックプレートは、ケーシングが第２位置へ移動したとき、前記接続部に連結されてケーシングをシリンジに対して固定することを特徴とする医療用注射器。
【請求項６】
請求項１〜５のいずれか１項に記載の医療用注射器において、前記シリンジ後退防止手段は、第１位置にあるケーシングに対して側方から嵌め込み装着される断面略コ字状部材からなることを特徴とする医療用注射器。
【請求項７】
請求項１〜６のいずれか１項に記載の医療用注射器において、注射針の未装着時にシリンジの先端に取り付けられる栓体と、前記ケーシングの先端部に着脱自在に外嵌される先端キャップとをさらに備え、該先端キャップは、シリンジ先端の栓体を覆うことを特徴とする医療用注射器。
【発明の詳細な説明】
【技術分野】
【０００１】
本発明は、プランジャロッドの押し込み操作によって注射後に自動的に針を保護することができる医療用注射器に関する。
【背景技術】
【０００２】
この種従来の注射器として、特許文献１や特許文献２に開示されたものが公知である。これら従来の注射器は、プランジャロッド若しくは管状部材を押し込み操作するだけで、注射動作に続いて針の収納を自動的に行うことができるものである。
【特許文献１】欧州特許出願公開第１０９０６５２号明細書
【特許文献２】特願２０００−５１８７２１号明細書
【発明の開示】
【発明が解決しようとする課題】
【０００３】
しかし、保管時等における針を収納するケーシングやプランジャロッドの保護が十分に考慮されてはいない。また、使用直前にシリンジ先端に注射針アタッチメントを装着するように設計変更した場合、該ケーシングはシリンジに対して軸方向移動可能であるため、外周のほぼ全体を覆うケーシングを把持して注射針アタッチメントをシリンジ先端に押し込むと該シリンジ先端がケーシング内に収納されてしまうという不具合が生ずる。さらに、注射完了後には注射針の外周はケーシングにより保護されるが、注射針の先端側は露呈しているため、廃棄処分はやはり慎重に行う必要がある。
【課題を解決するための手段】
【０００４】
本発明は、上記課題を解決するために、次の技術的手段を講じた。
【０００５】
即ち、本発明の医療用注射器は、先端に注射針を取付け可能で且つ後端が開口する筒状のシリンジと、該シリンジ内に軸方向移動自在に設けられるピストンと、先端部に前記ピストンが取り付けられ且つ後端部が前記シリンジの後端開口から後方に突出するプランジャロッドと、前記シリンジの外周側に設けられる管状ケーシングと、一端側が閉塞する筒状のキャップとを備える。なお、シリンジの先端には予め注射針を固定していてもよく、使用時に注射針アタッチメントを装着してもよい。シリンジ内には注射液が収容され、その後部が前記ピストンによって液密状にシールされる。シリンジはケーシング内に収容されるので、ケーシングをプラスチック製とすることにより、例えばガラス製のシリンジを外部からの衝撃から保護できる。
【０００６】
前記ケーシングは、その先端部よりも前記シリンジ先端に取り付けられた注射針が先端側に突出する第１位置から、その先端部により前記注射針の外周を覆う第２位置に向けて前記シリンジに対して軸方向移動可能であってよい。
【０００７】
前記プランジャロッドは、先端部に前記ピストンが取り付けられる第１軸部と、該第１軸部の後端部に取り付けられた第２軸部とを備えることができる。そして、該第２軸部の後端部は、前記ケーシングの後端部よりも後方に突出していてよい。これら軸部は、中実の棒状乃至筒状であってよく、好ましくは、一方の軸部が他方の筒状軸部内に軸方向移動自在に挿通案内されるものとすることができる。
【０００８】
前記プランジャロッドは、ピストンがシリンジ内の軸方向中途部から先端に移動するまでの間は第１軸部と第２軸部とが一体となって前記ケーシングに対して軸方向移動自在であるとともに、第１軸部に対して第２軸部を先端側に押し込むことによって第１軸部と第２軸部とを切り離し可能であってよい。好ましくは、第１軸部と第２軸部とを破断可能な接続リブを介して一体成形しておくのがよい。
【０００９】
また、第１軸部から切り離された第２軸部をシリンジ及び第１軸部に対して軸方向先端側に押し込むことによって該第２軸部とともに前記ケーシングをその第１位置から第２位置へ移動させるように、前記ケーシングに後方から当接する操作部を第２軸部の後部に設けることができる。この操作部は、フランジ乃至フレア状に形成できる。また、操作部は、第２軸部の軸方向中途部にあってもよいが、好ましくは後端部に設けることができる。
【００１０】
前記キャップは、注射前のプランジャロッドの後部を保護するために第１位置にあるケーシングの後部に装着可能であってよい。これによれば、保管時や輸送時においてプランジャロッドをケーシングにより保護し、不慮にプランジャロッドが操作されてしまうことや、プランジャロッドの破損等を防止できる。
【００１１】
また、前記キャップは、注射後に注射針を前方から覆い隠すために第２位置にあるケーシングの前部に装着可能であってよい。これによれば、使用前にはプランジャロッドの保護に用いられていたキャップを、使用後には注射針の前方の隠蔽保護に用いることができ、キャップをケーシングに一体的に連結して廃棄処分を行うことができる。
【００１２】
好ましくは、前記キャップが第１位置にあるケーシングの後部に装着されたとき、該キャップによって前記ケーシングのシリンジに対する軸方向移動を規制させることができる。このように、キャップを、ケーシングとシリンジとを固定するロック部材として用いることにより、使用前におけるケーシングの不慮の動作をより確実に防止できるとともに、使用直前に注射針アタッチメントをシリンジの先端に押し込み装着する際、その作業をケーシングを把持して行うことができるので、装着作業性が向上し、迅速かつ容易に注射針アタッチメントを取り付けることができる。
【００１３】
前記シリンジの後端部には、円板状プレートと、該プレートから直径方向に張り出す一対のタブと、前記ケーシングを案内保持するスロットとを有する接続部が設けられていてよい。
【００１４】
前記キャップは、第１位置にあるケーシングの後部に装着されたときプレートの後面に当接し、これによりケーシングをシリンジに対して固定させることができる。
【００１５】
また、前記キャップの外周形状は、前記プレートの外周縁に沿うか或いはプレートの外周縁よりも内側にあるのが好ましい。
【００１６】
好ましくは、前記ケーシングの後端部には、第２軸部を案内保持するとともに前記操作部が当接するバックプレートが設けられ、該バックプレートは、ケーシングが第２位置へ移動したとき、前記接続部に連結されてケーシングをシリンジに対して固定する。これによれば、注射後にケーシングをシリンジに固定することで、ケーシングが不慮に移動して注射針が再度露出してしまうことを防止できる。
【００１７】
また、前記ケーシングの軸方向中途部には、ケーシングの前部に装着される前記キャップが外嵌固定される隆起部が設けられていてよい。該隆起部は前記接続部よりも前方に設けることができる。また、キャップ内面には、隆起部に係合する係合部を設けることができる。さらに、係合部からキャップの開口端までの軸方向寸法は、第１位置にあるケーシングの隆起部から接続部のプレートまでの軸方向寸法よりも長く、第２位置にあるケーシングの隆起部から前記プレートまでの軸方向寸法よりも短いものとすることができる。
【００１８】
また、前記キャップは、一側方がほぼ軸方向全長にわたって開口しており、第１位置にあるケーシングに対して側方から嵌め込み装着されるものであってよい。これによれば、キャップを軸方向に大きく抜き取る必要性がなく、キャップの着脱操作を迅速に行うことができる。
【００１９】
また、本発明の医療用注射器は、先端に注射針を取付け可能で且つ後端が開口する筒状のシリンジと、該シリンジ内に軸方向移動自在に設けられるピストンと、先端部に前記ピストンが取り付けられ且つ後端部が前記シリンジの後端開口から後方に突出するプランジャロッドと、前記シリンジの外周側に設けられる管状ケーシングと、シリンジ後退防止手段とを備え、該ケーシングは、その先端部よりも前記シリンジ先端に取り付けられた注射針が先端側に突出する第１位置から、その先端部により前記注射針の外周を覆う第２位置に向けて前記シリンジに対して軸方向移動可能であり、前記プランジャロッドは、先端部に前記ピストンが取り付けられる第１軸部と、該第１軸部の後端部に取り付けられた第２軸部とを備え、該第２軸部の後端部は、前記ケーシングの後端部よりも後方に突出しており、該プランジャロッドは、ピストンがシリンジ内の軸方向中途部から先端に移動するまでの間は第１軸部と第２軸部とが一体となって前記ケーシングに対して軸方向移動自在であるとともに、第１軸部に対して第２軸部を先端側に押し込むことによって第１軸部と第２軸部とを切り離し可能であり、第１軸部から切り離された第２軸部をシリンジ及び第１軸部に対して軸方向先端側に押し込むことによって該第２軸部とともに前記ケーシングをその第１位置から第２位置へ移動させるように、前記ケーシングに後方から当接する操作部が第２軸部の後部に設けられ、前記シリンジ後退防止手段は、第１位置にあるケーシングのシリンジに対する軸方向移動を解除操作可能にロックするものであってよい。
【００２０】
上記シリンジ後退防止手段は、ケーシングやシリンジに対して取り付けられるリング状若しくは鈎形状等のロック部材であってよく、また、シリンジ後退防止手段は、ケーシングとシリンジとを回転操作等によって解除操作可能に直接係合させるものであってもよい。好ましくは、シリンジ後退防止手段は、上記キャップによって構成するのがよい。
【００２１】
前記シリンジ後退防止手段は、第１位置にあるケーシングと前記シリンジとに係合することによって前記ロックを行う部材からなるものであってもよい。ここで、係合の態様は、螺合であってもよく、当接であってもよく、嵌合であってもよい。より好ましくは、シリンジ後退防止手段を構成する部材を第１位置にあるケーシングの後部に着脱可能に取り付け固定し、該部材をシリンジに対して後方から当接させることができる。
【００２２】
また、前記シリンジの後端部には接続部が設けられ、該接続部は、円板状プレートと、該プレートから直径方向に張り出す一対のタブと、前記ケーシングを案内保持するスロットとを有し、前記シリンジ後退防止手段は、第１位置にあるケーシングの後部に装着可能で且つプレートの後面に当接する部材からなるものであってもよい。この場合、前記シリンジ後退防止手段を構成する部材の外周形状は、前記プレートの外周縁に沿うか或いはプレートの外周縁よりも内側にあることが好ましい。
【００２３】
また、前記ケーシングの後端部に、第２軸部を案内保持するとともに前記操作部が当接するバックプレートを設けることができる。このバックプレートは、ケーシングが第２位置へ移動したとき、前記接続部に連結されてケーシングをシリンジに対して固定するものとすることができる。
【００２４】
また、前記シリンジ後退防止手段は、第１位置にあるケーシングに対して側方から嵌め込み装着される断面略コ字状部材からなるものとすることができる。
【００２５】
上記本発明の医療用注射器において、注射針の未装着時にシリンジの先端に取り付けられる栓体と、前記ケーシングの先端部に着脱自在に外嵌される先端キャップとをさらに備えていてもよい。この先端キャップは、シリンジ先端の栓体を覆うものとすることができる。これによれば、栓体とケーシングとの隙間から異物がケーシング内に入り込むことを先端キャップにより防止することができる。また、本発明の注射器の使用後に注射針をケーシングの先端部内に格納した状態で先端キャップをケーシングの先端部に装着することによって、注射針を覆い隠し、より一層の安全性の向上を図ることができる。なお、本発明は、医療用以外の種々の用途の注射器として実施可能である。
【発明の効果】
【００２６】
本発明によれば、注射器のプランジャロッドを２つに分割し、第１軸部をピストンの移動による注射動作時のみ押し込み部材として機能させ、第２軸部を注射動作後に第１軸部から切り離して、ケーシングの押し込み操作のための押し込み部材としても機能させることにより、第２軸部の１回の押し込み操作によって注射と、注射後の針の保護とを行うことができる。さらに、キャップによってプランジャロッド並びにケーシングが不慮に操作されてしまうことを防止するとともに、該キャップ又は先端キャップを注射後にケーシングの前部に装着することによって、完全な針の保護を行うことができる。
【発明を実施するための最良の形態】
【００２７】
以下、本発明の好適な実施の形態を図面に基づいて説明する。
【００２８】
図１〜図１８は、本発明の第一の実施形態に係る医療用注射器１並びにその構成部品を示している。この注射器１は、先端に注射針２を取付け可能で且つ後端が開口する円筒状のシリンジ３と、該シリンジ３内に液密性を維持しつつ軸方向移動自在に設けられるゴム製のピストン４と、シリンジ３の後端開口部に取り付けられる接続部材５（接続部）と、先端部に前記ピストン４が取り付けられ且つ後端部が前記シリンジ３の後端開口から後方に突出するプランジャロッド６と、シリンジ３の外周側に設けられる管状ケーシング７と、該ケーシング７の後端部に取り付けられるバックプレート８と、一端側が閉塞する筒状のキャップ９（シリンジ後退防止手段）とを備えている。
【００２９】
前記シリンジ３は、例えばガラス製であって、先端部にはノズル部３１が一体成形されている。注射器１の出荷時や保管時には、ノズル部３１にはゴム栓３２（栓体）が取り付けられ、シリンジ３内に収容された薬液を外気から密封している。そして、ゴム栓３２を取り外して、注射針２を備える注射針アタッチメント２０をノズル部３１に嵌着することによって、注射針２がシリンジ３の先端に取り付けられるようになっている。また、シリンジ３の後端部にはフランジ３３が一体成形されている。
【００３０】
前記接続部材５は、図３〜図５にも示すように、円板状プレート５１と、該プレート５１から直径方向に張り出す一対のタブ５２と、プレート５１の前面から前方に延出し且つシリンジ３のフランジ３３に外嵌固定される筒状のチャック５４と、プレート５１の後面から後方に延出する一対の係止片５５とを一体に備えている。また、プレート５１には、ケーシング７を案内保持する円弧状のスロット５３と、プランジャロッド６を案内保持する中心貫通孔５６とが形成されている。この接続部材５は、例えばポリカーボネート製の射出成形品により構成できる。
【００３１】
前記プランジャロッド６は、例えばポリプロピレン製の射出成形品からなり、図６〜図８にも示すように、先端部にピストン４が取り付けられる第１軸部６１と、該第１軸部６１の後端部に直径方向に対向する一対の接続リブ６３を介して一体的に取り付けられた第２軸部６２とにより主構成されている。第２軸部６２は、第１軸部６１の後端部から後方に延びて前記接続部材５の貫通孔５６に挿通され、その後端部はケーシング７の後端部よりも後方に突出している。また、第２軸部６２は、第１軸部６１を内部に挿通案内し得る円筒状に構成されている。第１軸部６１の外周には、軸方向ほぼ全長にわたる４つのリブ６４が設けられている。また、第２軸部６２の内周面には軸方向先端部から後方に向けて延びる案内溝６５が設けられており、第１軸部６１の後端部に設けた係止片６６が案内溝６５内に軸方向移動自在に係合し、これにより第１軸部６１と第２軸部６２の相対回転を防止している。上記接続リブ６３は、第１軸部６１に対して第２軸部６２を所定の設定値を超える力で押し込むことにより容易に破断可能である。この所定の設定値は、ピストン４の摺動によりシリンジ３内の薬液を注射する際にプランジャロッド６に生じる軸力よりも大きく、注射中に接続リブ６３が破断しないようにしてある。
【００３２】
したがって、プランジャロッド６は、ピストン４がシリンジ３内の軸方向中途部から先端に移動するまでの間は第１軸部６１と第２軸部６２とが一体となってケーシング７に対して軸方向移動自在であるとともに、ピストン４がシリンジ３内の先端に移動されることによって押し込み動作が規制された第１軸部６１に対して第２軸部６２を先端側に押し込むことによってこれらを切り離し可能である。そして、第１軸部６１から切り離された第２軸部６２をシリンジ３及び第１軸部６１に対して軸方向先端側に押し込むことによって該第２軸部６２とともにケーシング７をその第１位置から第２位置へ移動させるように、ケーシング７に後方から当接するフレア状ないしフランジ状の操作部６７が第２軸部６２の後端部に設けられている。
【００３３】
前記ケーシング７は、例えばＴＰＸ（ポリメチルペンテン）製の射出成形品からなり、図９〜図１２にも示すように、先端側の小径筒部７１と後端側の大径筒部７２とがテーパー部７３を介して一体的に設けられている。小径筒部７１は完全な円筒からなり、その内径はシリンジ３の外径よりも若干大径である。大径筒部７２は、直径方向に対向し且つ離間する一対の円弧状壁部７２ａ，７２ｂにより主構成されており、各壁部７２ａ，７２ｂがそれぞれ接続部材５のスロット５３に挿通され、軸方向移動自在に案内保持されている。そして、ケーシング７は、その先端部よりもシリンジ先端に取り付けられた注射針２が先端側に突出する第１位置（図１９（ａ）〜（ｃ）参照）から、その先端部により前記注射針の外周を覆う第２位置（図１９（ｄ）参照）に向けて前記シリンジ３に対して軸方向移動可能である。
【００３４】
前記バックプレート８は、例えばＰＣ製の射出成形品からなり、図１３〜図１６にも示すように、ケーシング７の後端縁部に嵌着される嵌着部８１と、第２軸部６２を軸方向摺動自在に案内保持する４つの抱持片８２とを備えていて、前記第２軸部６２の操作部６７は、バックプレート８を介してケーシング７の後端部に当接する。４つの抱持片８２は、バックプレート８の中心貫通孔８３の周囲に等間隔で配置されており、第２軸部６２は中心貫通孔８３に挿通保持されている。また、バックプレート８には、接続部材５の係止片５５に対応する係止孔８４が設けられており、ケーシング７が第２位置へ移動したとき、係止片５５が係止孔８４に挿通し係合することによって、バックプレート８が接続部材５に連結されてケーシング７をシリンジ３に対して固定するようになっている。また、バックプレート８の外周面には、キャップ９を螺着するためのネジ８５が形成されている。
【００３５】
前記キャップ９は、軸方向一端側が閉塞し他端側が開口する筒状であって、注射前のプランジャロッド６の後部を保護するために第１位置にあるケーシング７の後部に装着可能であるとともに、注射後に注射針２を前方から覆い隠すために第２位置にあるケーシング７の前部に装着可能である。
【００３６】
より詳細には、キャップ９の軸方向中途部の内周面には、バックプレート８の外周に螺着するためのネジ９１が形成されている。そして、バックプレート８の外周にキャップ９を螺着したとき、図１に示すように、キャップ９が第２軸部６２並びにケーシング７の後部を覆い隠すとともに、このようにキャップ９が第１位置にあるケーシング７の後部に装着されたとき、該キャップ９の先端部が接続部材５のプレート５１の後面に当接することによって、ケーシング７のシリンジ３に対する軸方向移動が規制されるようになっている。かかるキャップ９によって、第１位置にあるケーシング７のシリンジ３に対する軸方向移動を解除操作可能にロックするシリンジ後退防止手段が構成されている。
【００３７】
このキャップ９の外周形状は、正１０角形状であって、接続部材５のプレート５１の外周縁に沿うか或いはプレート５１の外周縁よりも内側にある。したがって、キャップ９を装着しても、注射器１の最大外径寸法は非装着のときと同様であり、キャップ装着時の外観の向上並びに取り扱いの利便性向上を図ることができる。また、キャップ９を非円形とすることによって、装着時の転がり防止が図られている。
【００３８】
また、キャップ９の軸方向中途部であって且つ前記ネジ９１よりも開口端側の内周面には、内方に隆起する係合凸部９２が形成されている。一方、ケーシング７の軸方向中途部（より詳細にはテーパー部の後端）には、ケーシング７の前部に装着される前記キャップ９が外嵌固定されるフランジなどの隆起部７４が設けられている。キャップ９の係合凸部９２はこの隆起部７４に軸方向に係合し、これによりキャップがケーシング７の前部に装着された状態でケーシング７に取り付け固定される。なお、隆起部７４は前記接続部材５よりも前方に位置するとともに、隆起部７４の内周面側には、ケーシング７が第１位置にあるときに接続部材５が後方から係合する段部７５が設けられている。
【００３９】
次に、図１９に基づいて、上記注射器１の使用方法を説明する。
【００４０】
まず、保管されていた注射器１のシリンジ３先端からゴム栓３２を取り外し、図１９（ａ）に示すように注射針アタッチメント２０をノズル部３１に取り付ける。このとき、キャップ９によってプランジャロッド６の押し込み操作並びにケーシング７に対するシリンジ３の軸方向移動が防止されているため、ケーシング７やキャップ９を把持して針アタッチメント２０をノズル部３１に押し込むことができる。
【００４１】
注射針２の装着後、図１９（ｂ）に示すようにキャップ９を取り外し、接続部材５のタブ５２に人差し指と中指を掛けて親指によりプランジャロッド６の後端部を押し込むと、ピストン４によりシリンジ３内の薬液が注射される。
【００４２】
ピストン４がシリンジ３内の先端まで押し込まれると、図１９（ｃ）に示すようにプランジャロッド６の操作部６７がケーシング７の後端に当接し、この状態からさらに操作部６７を押し込むと、プランジャロッド６の第１軸部６１と第２軸部６２とを接続するリブ６３が破断して、第１軸部６１に対して第２軸部６２を押し込み操作可能となる。
【００４３】
第１軸部６１をさらにシリンジ３に対して押し込んでいくと、この第１軸部６１とともにケーシング７がシリンジ３に対して軸方向に移動し、図１９（ｄ）に示すようにケーシング７の先端部により針２の外周を保護する。
【００４４】
そして、キャップ９又は先端キャップ１１をケーシング７の前部に装着することによって、針２を完全に覆い隠すことができ、安全に廃棄処分を行うことができる。
【００４５】
図２０及び図２１は本発明の第２実施形態に係る注射器１’を示しており、上記第１実施形態と同様の構成については同符号を付して詳細説明を省略し、異なる構成、作用効果について説明する。
【００４６】
本実施形態の注射器１’は、ケーシング７の先端部に着脱自在に外嵌される先端キャップ１１をさらに備えている。この先端キャップ１１は、先端部が閉塞されているとともに後端が開口しており、この後端開口部がケーシング７の先端部に嵌着され、キャップ１１後端部とケーシング７先端部とは全周にわたって接触している。上記ゴム栓３２（栓体）は、ケーシング７に取り付けられた先端キャップ１１の内部に収容され、該キャップ１１によってゴム栓３２が覆われている。かかる先端キャップ１１を装着すれば、ゴム栓３２とケーシング７と隙間から異物がケーシング７とシリンジ３との間に混入することが防止される。
【００４７】
また、ケーシング７の後部に装着されるキャップ９（シリンジ後退防止部材）は、バックプレート８に対応する位置から後端側にしたがって徐々に小径となされており、全体としてスマート乃至スリムな外観を呈するように構成している。なお、本実施形態では、後部キャップ９は、注射完了後にケーシング７の前部に装着されず、先端キャップ１１をケーシング７の前端に再度装着することによって針を完全に保護することが可能である。
【００４８】
図２２〜図２９は本発明の第３実施形態を示しており、上記第１実施形態と異なるところはキャップ９のみであるので、他の構成については同符号を付して詳細説明を省略し、キャップ９の構成について以下説明する。
【００４９】
本実施形態のキャップ９は、ケーシング７並びにプランジャロッド６の第２軸部６２に対して側方から嵌め込み装着可能であるように、一側方がほぼ軸方向全長にわたって開口された断面略コ字状の部材からなり、ケーシング７の後部を抱持する第１部分９３と、バックプレート８の外周を覆う第２部分９４と、プランジャロッド６の第２軸部６２の外周を覆う第３部分９５と、第２軸部６２の後方を覆う第４部分９６とが連設されてなる。各部分９３〜９６の径はそれぞれ可能な限り小さくなされており、全体としてスマート乃至スリムな外観を呈するようにしている。
【００５０】
第１部分９３の前端部は接続部材５の後面に当接され、一方、第２部分９４の前端部はバックプレート８の周縁部に前方から係止される。これにより、キャップ９を装着したとき、第１位置にあるケーシング７のシリンジ３に対する軸方向移動がキャップ９によって阻止されるようになっている。また、第１部分９３は、図３０に示すように開口先端側が狭められており、不慮にキャップ９がケーシング７から抜け落ちることを防止している。一方、第１部分９３と第２部分９４との間にスリット９７を設けることによって、第１部分９３を弾性変形可能に構成し、手で引き抜く程度の外力が作用することにより容易にキャップ９をケーシング７から取り外し可能にしている。なお、第３部分９５の背部には軸方向に沿って縦リブ９８を一体成形してあり、この縦リブ９８を把持部ないしツマミとして利用することが可能である。
【００５１】
本発明は、上記実施形態に限定されるものではなく、請求の範囲に記載した発明の技術的事項の範囲内で適宜設計変更し得ることは勿論である。
【図面の簡単な説明】
【００５２】
【図１】本発明の第１実施形態に係る医療用注射器の全体縦断面図である。
【図２】同注射器の断面方向を９０°回転した全体縦断面図である。
【図３】同注射器の接続部材の３面図である。
【図４】図３のＡ−Ａ線断面図である。
【図５】図３のＢ−Ｂ線断面図である。
【図６】同注射器のプランジャロッドを示し、（ａ）は正面図、（ｂ）は側面図である。
【図７】同プランジャロッドの断面図を示し、（ａ）は図６のＣ−Ｃ線断面図、（ｂ）は図６のＤ−Ｄ線断面図である。
【図８】図６のＥ−Ｅ線断面拡大図である。
【図９】同プランジャロッドのケーシングの４面図である。
【図１０】図９のＦ−Ｆ線断面図である。
【図１１】図９のＧ−Ｇ線断面図である。
【図１２】図９のＨ−Ｈ線断面図である。
【図１３】同注射器のバックプレートの４面図である。
【図１４】図１３のＩ−Ｉ線断面図である。
【図１５】図１３のＪ−Ｊ線断面図である。
【図１６】図１３のＫ−Ｋ線断面図である。
【図１７】同注射器のキャップの２面図である。
【図１８】同キャップの縦断面図である。
【図１９】同注射器の使用工程図である。
【図２０】本発明の第２実施形態に係る注射器の全体縦断面図である。
【図２１】同注射器の断面方向を９０°回転した全体縦断面図である。
【図２２】本発明の第３実施形態に係る注射器の全体縦断面図である。
【図２３】同注射器の断面方向を９０°回転した全体縦断面図である。
【図２４】同注射器の後部キャップの拡大側面図である。
【図２５】同注射器の後部キャップの拡大正面図である。
【図２６】図２４のＡ−Ａ線切断部端面図である。
【図２７】図２４のＢ−Ｂ線切断部端面図である。
【図２８】図２４のＣ−Ｃ線切断部端面図である。
【図２９】図２４のＤ−Ｄ線切断部端面図である。
【符号の説明】
【００５３】
１  注射器
２  注射針
３  シリンジ
４  ピストン
５  接続部
５１  プレート
５２  タブ
５３  スロット
５５  係止片
６  プランジャロッド
６１  第１軸部
６２  第２軸部
６３  接続リブ
７  ケーシング
８  バックプレート
９  キャップ（シリンジ後退防止手段）
１１  先端キャップ
【図１】
2008289908.tif 000003
【図２】
2008289908.tif 000004
【図３】
2008289908.tif 000005
【図４】
2008289908.tif 000006
【図５】
2008289908.tif 000007
【図６】
2008289908.tif 000008
【図７】
2008289908.tif 000009
【図８】
2008289908.tif 000010
【図９】
2008289908.tif 000011
【図１０】
2008289908.tif 000012
【図１１】
2008289908.tif 000013
【図１２】
2008289908.tif 000014
【図１３】
2008289908.tif 000015
【図１４】
2008289908.tif 000016
【図１５】
2008289908.tif 000017
【図１６】
2008289908.tif 000018
【図１７】
2008289908.tif 000019
【図１８】
2008289908.tif 000020
【図１９】
2008289908.tif 000021
【図２０】
2008289908.tif 000022
【図２１】
2008289908.tif 000023
【図２２】
2008289908.tif 000024
【図２３】
2008289908.tif 000025
【図２４】
2008289908.tif 000026
【図２５】
2008289908.tif 000027
【図２６】
2008289908.tif 000028
【図２７】
2008289908.tif 000029
【図２８】
2008289908.tif 000030
【図２９】
2008289908.tif 000031